(57)【要約】自立型エレベータ支持構造と、支持構造等を備えるトラクション（ロープ作動式）エレベータシステムとを構築するための機械システムおよび方法。足場等の外部支柱を必要とせずに、モジュール式レール部および当該システムの他の構成部材の高さ位置をより高く段階的に立ち上げるのに、レールクライミング（rail climbing）昇降台が使用される。
2006515555.tif 000002
【特許請求の範囲】
【請求項１】
凹溝モジュール（pit channel module）と、
一端は前記凹溝モジュールに取り付けられ、他端はさらなるモジュール式縦ガイドレールまたは上部モジュールに端同士がつながるようにして（in an end-to-end manner）接続され、かつ、少なくとも１つが予め選択されて、長手方向軸に沿って直線状に配列された複数の穴を有する、複数のモジュール式縦ガイドレールと、
前記予め選択されたモジュール式縦ガイドレールに摺動可能に結合されるとともに、ギヤを有するモータ駆動部（motor drive）に接続され、前記ギヤが、前記予め選択されたモジュール式縦ガイドレールの前記穴と係合するような大きさに構成されている歯を有する昇降台と
を備え、
前記モータ駆動部の作動により、前記ギヤの前記歯を前記予め選択されたモジュール式縦ガイドレールの前記穴と係合させ、それによって、前記昇降台を前記モジュール縦ガイドレールに沿って昇降させる、エレベータシステム用のモジュール式エレベータ支持構造を構築する施工構造。
【請求項２】
前記穴は、該予め選択されたモジュール式縦ガイドレールに固定された長手方向レール上に形成される、請求項１に記載のエレベータシステム用のモジュール式エレベータ支持構造を構築する施工構造。
【請求項３】
前記予め選択されたモジュール式縦ガイドレールの前記穴と係合した状態に前記ギヤを維持する手段をさらに備える、請求項１に記載のエレベータシステム用のモジュール式エレベータ支持構造を構築する施工構造。
【請求項４】
前記モジュール式縦ガイドレールは、釣り合い錘ガイドレール、エレベータかごガイドレール、またはそれらの組合せである、請求項１に記載のエレベータシステム用のモジュール式エレベータ支持構造を構築する施工構造。
【請求項５】
凹溝モジュールと、
上部モジュールと、
端同士がつながった少なくとも２つのモジュール部（modular sections）をそれぞれが備える複数のモジュール式縦ガイドレールと
を備え、
第１のサブセットの前記複数のモジュール式縦ガイドレールのそれぞれの下端は、前記凹溝モジュールに取り付けられ、前記複数のモジュール式縦ガイドレールの第２のサブセットのそれぞれの他端は、前記上部モジュールに取り付けられ、
少なくとも１つの予め選択されたモジュール式縦ガイドレールが、該モジュール式縦ガイドレールの長手方向軸に沿って配列された穴を有する、モジュール式エレベータ支持構造。
【請求項６】
少なくとも１つのモジュール式縦ガイドレールに摺動可能に結合されるとともに、前記予め選択されたモジュール式縦ガイドレールの前記穴と係合するような大きさに構成されている歯を有するギヤをモータ駆動部に有して接続される昇降台をさらに備え、前記モータ駆動部の作動により、前記ギヤの前記歯を前記予め選択されたモジュール式縦ガイドレールの前記穴と係合させ、それによって、前記昇降台を前記モジュール式縦ガイドレールに沿って昇降させる、請求項５に記載のモジュール式エレベータ支持構造。
【請求項７】
少なくとも２つの隣接したモジュール式縦ガイドレールに取り付けられる少なくとも１つの水平向き（horizontally-oriented）ブラケットをさらに備える、請求項５に記載のモジュール式エレベータ支持構造。
【請求項８】
前記支持構造は、トラクションエレベータを支持するように構成され、
前記複数のモジュール式縦ガイドレールは、少なくとも２つの釣り合い錘ガイドレールおよび少なくとも２つのエレベータかごガイドレールを備える、請求項５に記載のモジュール式エレベータ支持構造。
【請求項９】
前記予め選択されたモジュール式縦ガイドレールは釣り合い錘ガイドレールである、請求項５に記載のモジュール式エレベータ支持構造。
【請求項１０】
前記予め選択されたモジュール式縦ガイドレールはエレベータかごガイドレールである、請求項５に記載のモジュール式エレベータ支持構造。
【請求項１１】
前記穴は、前記予め選択されたモジュール式縦ガイドレール内に形成されるか、または該予め選択されたモジュール式縦ガイドレールに固定された長手方向レール上に形成される、請求項５に記載のモジュール式エレベータ支持構造。
【請求項１２】
前記予め選択されたモジュール式縦ガイドレールの前記穴と係合した状態に前記ギヤを維持する手段をさらに備える、請求項６に記載のエレベータ支持構造。
【請求項１３】
基礎床面（foundation）に凹溝モジュールを設ける工程と、
２つの端をそれぞれが有する複数のモジュール式縦ガイドレールを設ける工程と、
予め選択された数のモジュール式縦ガイドレールのそれぞれの第１の端を前記凹溝モジュールに接続する工程であり、第１の高さ位置（level）のモジュール式縦ガイドレールを形成するとともに該モジュール式縦ガイドレールの長手方向軸に沿って配列された複数の穴を有し、前記所定数のモジュール式縦ガイドレールのそれぞれの第２の端が、さらなるモジュール式縦ガイドレールと端同士がつながるように接続する工程と、
少なくとも１つのモジュール式縦ガイドレールに昇降台を摺動可能に結合し、かつ、前記予め選択されたモジュール式縦ガイドレールの前記穴と係合するような大きさになっているギヤを有するモータ駆動部に前記昇降台を接続する工程と、
前記予め選択されたモジュール式縦ガイドレールの前記穴と係合させるように前記モータ駆動部を作動させ、それによって、前記昇降台を前記モジュール式縦ガイドレールに沿って昇降させる工程と、
上部モジュールまたはさらなるモジュール式縦ガイドレールをさらなる高さ位置に設置する工程と、
を含む、トラクションエレベータシステム用のエレベータ支持構造を立設する方法。
【請求項１４】
前記さらなる高さ位置のモジュール式縦ガイドレールは、少なくとも１つの次の高さ位置のモジュール式縦ガイドレールまたは上部モジュールを設置するよう前記昇降台を段階的に上昇させるための穴を有する少なくとも１つのさらなる予め選択されたレールを備える、請求項１３に記載のトラクションエレベータシステム用のエレベータ支持構造を立設する方法。
【請求項１５】
基礎床面に凹溝モジュールを設ける工程と、
２つの端をそれぞれが有する複数のモジュール式縦ガイドレールを設ける工程と、
前記複数の少なくとも１つの予め選択されたモジュール式縦ガイドレールは、該モジュール式縦ガイドレールの長手方向軸に沿って配列された複数の穴を有し、モジュール式縦ガイドレールの第１の端を前記凹溝モジュールに接続する工程と、
第１の高さ位置のモジュール式縦ガイドレールを形成し、前記モジュール式縦ガイドレールのそれぞれの第２の端は、さらなるモジュール式縦ガイドレールと端同士がつながるように接続する工程と、
少なくとも１つのモジュール式縦ガイドレールに昇降台を摺動可能に結合し、かつ、予め選択されたモジュール式縦ガイドレールの前記穴と係合するような大きさに構成されているギヤを有する第１のモータ駆動部に前記昇降台を接続する工程と、
前記予め選択されたモジュール式縦ガイドレールの前記穴と係合させるように前記第１のモータ駆動部を作動させ、それによって、前記昇降台を前記モジュール式縦ガイドレールに沿って昇降させる工程と、
少なくとも１つのさらなる高さ位置のモジュール式縦ガイドレールおよび上部モジュールを設置して、エレベータ支持構造を形成する工程と、
前記エレベータ支持構造または前記基礎床面に支持ロープ係合駆動部材を有して第２のモータ駆動部を固定する工程と、
前記支持ロープ係合駆動部材と動作可能に結合して前記第２のモータ駆動部の作動により、エレベータかごおよびエレベータ釣り合い錘が前記エレベータ支持構造内で上下方向に変位可能となるように、前記エレベータ支持構造内に前記エレベータかご、エレベータ支持ロープ、およびエレベータ釣り合い錘を設置する工程と
を含む、ロープ駆動式エレベータシステムを立設する方法。
【請求項１６】
前記第１のモータ駆動部および前記第２のモータ駆動部は同じであるか、または異なる、請求項１５に記載のロープ駆動式エレベータシステムを立設する方法。
【請求項１７】
前記エレベータシステムは、設置の際、前記予め選択されたモジュール式縦ガイドレールの前記穴と係合した状態に前記ギヤを維持する手段を備える、請求項１５に記載のロープ駆動式エレベータシステムを立設する方法。
【発明の詳細な説明】
【技術分野】
【０００１】
［発明の分野］
本発明は、エレベータ／昇降システムの分野に関する。より詳細には、本発明は、足場を必要とせずに建物にトラクションエレベータを設置するための装置およびシステムに関する。
【０００２】
［関連出願の相互参照］
本出願は、２００３年１月２８日付けで出願された米国特許出願第１０／３５３，１７３号（その内容全体が参照により本明細書に援用される）の一部継続出願である。
【背景技術】
【０００３】
［発明の背景］
建物の領域内にトラクション式エレベータシステムを構築する際、設置者は通常、最初に昇降路内に足場を構築し、次いで、建物の既存の構造を支持体として用いて、昇降路内を通して構造のより高い高さ位置にエレベータ構成部材を引き上げなければならない。このような設置の方法は、建物の構造に著しい負荷をかけ、コストがかかるとともに足場の架設および取外しに時間がかかる。したがって、昇降路内に足場の架設を必要とせず、かつ建物の構造を用いる必要のない、基礎床面の高さ位置からより高い高さ位置に、すなわち、エレベータシステムが構築され支持のために基礎床面の上方にトラクション式エレベータシステムを設置するための装置およびシステムが望まれている。
【発明の開示】
【０００４】
［発明の概要］
本発明は、自立型エレベータ支持構造と、かかる支持構造を備えるトラクション（ロープ作動式）エレベータシステムとを構築するための機械システムおよび方法を提供する。本発明の特徴は、足場等の外部の支柱を必要とせずに、モジュール式レール部およびシステムの他の構成部材の高さ位置をより高く段階的に立ち上げるのにレールクライミング式昇降台（rail climbing platform）を使用することである。設置が完了すると、エレベータは、乗用エレベータ、荷物用エレベータ、またはその併用として用いることができる。
【０００５】
特許請求されている本発明の一特徴では、エレベータシステム用のモジュール式エレベータ支持構造を構築するための施工構造が設けられる。施工構造は、凹溝モジュールと、複数のモジュール式縦ガイドレールと、予め選択されたモジュール式縦ガイドレールに摺動可能に結合されるとともに、ギヤを有するモータ駆動部に接続される昇降台とを備える。各モジュール式縦ガイドレールの一端は、凹溝モジュールに取り付けられ、他端は、さらなるモジュール式縦ガイドレールまたは上部モジュールに端同士がつながるようにして接続可能である。少なくとも１つの予め選択されたモジュール式縦ガイドレールは、そのモジュール式縦ガイドレールの長手方向軸に沿って直線状に配列された複数の穴を有する。ギヤは、予め選択されたモジュール式縦ガイドレールの穴と係合するような大きさになっているとともにそのように構成されている歯を有する。モータ駆動部を作動させることにより、ギヤの歯を、予め選択されたモジュール式縦ガイドレールの穴と係合させ、それによって、モジュール式縦ガイドレールに沿って昇降台を昇降させる。
【０００６】
施工構造は、任意の特定の高さまたは任意の数の床面を有するエレベータ支持構造（および最終的にはエレベータシステム）の構築を可能にする。施工構造または支持構造は、所与の位置に常設されてもよい。施工構造または支持構造は、例えば、本設エレベータを所望の位置に設置することができるまで、仮固定で設置されてもよい。施工構造または支持構造は、軽負荷（light-duty：軽量用）または重負荷（heavy-duty：重量用）のエレベータ使用に用いられることができる。
【０００７】
本発明の実施形態のいずれにおいても、予め選択されたモジュール式縦ガイドレールの穴がレール本体内に直接形成されてもよく、または予め選択されたモジュール式縦ガイドレールに固定または固着される別個の長手方向レール上に初めに形成されてもよい。
【０００８】
施工構造は、予め選択されたモジュール式縦ガイドレールの穴と係合した状態にギヤを維持する手段を備え得る。例えば、ギヤおよびモジュール式縦ガイドレールが互いに離れすぎるかまたは寄りすぎないようにする装置または機械構成が構造内に提供されてもよい。
【０００９】
施工構造または支持構造を立設するのに用いられるモジュール式縦ガイドレールは、釣り合い錘ガイドレール、エレベータかごガイドレール、またはそれらの組合せであってもよい。
【００１０】
特許請求されている本発明の別の態様では、モジュール式エレベータ支持構造が設けられる。モジュール式エレベータ支持構造は、凹溝モジュールと、上部モジュールと、端同士がつながった少なくとも２つのモジュール部をそれぞれが備える複数のモジュール式縦ガイドレールとを備える。複数のモジュール式縦ガイドレールの第１のサブセットそれぞれの下端が、凹溝モジュールに取り付けられ、第２のサブセットの複数のモジュール式縦ガイドレールの他端が、上部モジュールに取り付けられる。少なくとも１つの予め選択されたモジュール式縦ガイドレールは、そのモジュール式縦ガイドレールの長手方向軸に沿って整列した穴を有する。第１のサブセットのモジュール式縦ガイドレールは、構造内の最下部レールであり得、第２のサブセットのモジュール式縦ガイドレールは、構造内の最上部レールであり得る。
【００１１】
モジュール式エレベータ支持構造は、少なくとも１つのモジュール式縦ガイドレールに摺動可能に結合されるとともに、ギヤを有するモータ駆動部に接続される昇降台をさらに備える。ギヤは、予め選択されたモジュール式縦ガイドレールの穴と係合するような大きさになっているとともにそのように構成されている歯を有する。モータ駆動部を作動させることにより、ギヤの歯を、予め選択されたモジュール式縦ガイドレールの穴と係合させ、それによって、モジュール式縦ガイドレールに沿って昇降台を昇降させる。昇降台を昇降させることができることにより、エレベータ設置者は、モジュール式縦ガイドレールまたはエレベータシステムの他の構成部材をより高い床面の高さ位置に立設することが可能となり、それにより、任意の数の高さ位置を有するエレベータが構築される。
【００１２】
支持構造は、構造をさらに安定させるために、少なくとも２つの隣接したモジュール式縦ガイドレールに取り付けられる少なくとも１つの水平向きブラケットを備え得る。
【００１３】
本発明の一実施形態では、支持構造は、トラクションエレベータを支持するように構成可能である。かかる実施形態では、複数のモジュール式縦ガイドレールは、少なくとも２つのエレベータ釣り合い錘ガイドレールおよび少なくとも２つのエレベータかごガイドレールを備える。しかしながら、エレベータかごガイドレールおよびエレベータ釣り合い錘ガイドレールの任意の組合せが可能であり、モジュール式縦ガイドレールは、特定の高さである必要はなく、または、高さが一様である。構築材料は、エレベータの重量を支持し、かつその機能を支援するとともに構造に安定性を与えることができるものである限り、決定的に重要ではない。
【００１４】
穴を有する予め選択されたモジュール式縦ガイドレールは、エレベータ釣り合い錘ガイドレールまたはエレベータかごガイドレールであってもよい。あるいは、予め選択されたモジュール式縦ガイドレールは、エレベータ機能を支援する、エレベータ昇降路内またはその付近に位置する任意の形式のレールとすることができる。
【００１５】
支持構造は、構築中に、予め選択されたモジュール式縦ガイドレールの穴と係合した状態にギヤを維持する手段をさらに備える。かかる手段は、ギヤおよびモジュール式縦ガイドレールを或る向きに維持するか、またはギヤおよびレール間の特定の距離を維持する任意の装置または機構とすることができる。
【００１６】
特許請求されている本発明の別の態様によれば、トラクションエレベータシステム用のエレベータ支持構造を立設する方法が提供される。本方法は、
基礎床面に凹溝モジュールを設ける工程と、
２つの端をそれぞれが有する複数のモジュール式縦ガイドレールを設ける工程と、
予め選択された数のモジュール式縦ガイドレールのそれぞれの第１の端を凹溝モジュールに接続し、第１の高さ位置のモジュール式縦ガイドレールを形成し、第１の高さ位置の少なくとも１つの予め選択されたモジュール式縦ガイドレールは、そのモジュール式縦ガイドレールの長手方向軸に沿って配列された複数の穴を有し、かつ、所定数のモジュール式縦ガイドレールのそれぞれの第２の端は、さらなるモジュール式縦ガイドレールと端同士がつながるようにして接続する工程と、
少なくとも１つのモジュール式縦ガイドレールに昇降台を摺動可能に結合し、かつ、予め選択されたモジュール式縦ガイドレールの穴と係合するような大きさに構成されているギヤを有するモータ駆動部に昇降台を接続する工程と、
予め選択されたモジュール式縦ガイドレールの穴と係合させるようにモータ駆動部を作動させ、それによって、昇降台をモジュール式縦ガイドレールに沿って昇降させる工程と、
上部モジュールまたはさらなるモジュール式縦ガイドレールを設置し、さらなる高さ位置のモジュール式縦ガイドレールを形成する工程と
を含む。
【００１７】
さらなる高さ位置のモジュール式縦ガイドレールは、少なくとも１つのさらなる高さ位置のモジュール式縦ガイドレールまたは上部モジュールを設置するよう昇降台を段階的に上昇させるための穴を有する少なくとも１つのさらなる予め選択されたレールをさらに備える。したがって、さらなる予め選択されたモジュール式縦ガイドレールおよびレールの設置により、エレベータ支持構造を任意の特定の高さになるように構築することができる。
【００１８】
特許請求されている本発明の別の態様によれば、ロープ駆動式エレベータシステムを立設する方法が提供される。本方法は、
基礎床面に凹溝モジュールを設ける工程と、
２つの端をそれぞれが有する複数のモジュール式縦ガイドレールを設ける工程と、
複数のモジュール式縦ガイドレールの第１の端を凹溝モジュールに接続し、第１の高さ位置のモジュール式縦ガイドレールの少なくとも１つの予め選択されたモジュール式縦ガイドレールは、そのモジュール式縦ガイドレールの長手方向軸に沿って配列された複数の穴を有して形成され、モジュール式縦ガイドレールのそれぞれの第２の端は、さらなるモジュール式縦ガイドレールと端同士がつながるようにして接続される工程と、
少なくとも１つのガイドレールに昇降台を摺動可能に結合し、かつ、予め選択されたモジュール式縦ガイドレールの穴と係合するような大きさに構成されているギヤを有する第１のモータ駆動部に昇降台を接続する工程と、
予め選択されたモジュール式縦ガイドレールの穴と係合させるように第１のモータ駆動部を作動させ、昇降台をモジュール式縦ガイドレールに沿って昇降させる工程と、
エレベータ支持構造を形成するために少なくとも１つのさらなる高さ位置のモジュール式縦ガイドレールおよび上部モジュールを設置する工程と、
エレベータ支持構造または基礎床面に、第２のモータ駆動部を固定する工程と、
前記第２のモータ駆動部の作動により、エレベータかごおよびエレベータ釣り合い錘がエレベータ支持構造内で上下方向に変位可能に、支持ロープ係合駆動部材を有する支持ロープ係合駆動部材と動作可能に結合されるようにしてエレベータ支持構造内にエレベータかご、エレベータ支持ロープ、およびエレベータ釣り合い錘を設置する工程と
を含む。
【００１９】
本発明による方法により、エレベータシャフト内での任意の特定の高さのトラクションエレベータシステムの構築が可能になる。いくつかの特定の実施形態では、トラクションエレベータは、エレベータ昇降路の外側に、例えば既存の建物または構造に隣接して、建設される。
【００２０】
特許請求されている方法では、第１のモータ駆動部および第２のモータ駆動部は、同じであってもよく、または異なっていてもよい。エレベータシステムはまた、設置の際、予め選択されたモジュール式縦ガイドレールの穴と係合した状態にギヤを維持する手段を備える。
【００２１】
本発明の施工構造は、昇降台等の施工部材を取り外し、エレベータかご、エレベータ釣り合い錘、モータ駆動部、および上部モジュール等の他のエレベータ構成部材を設置することにより、エレベータ支持構造に容易に変わることができる。
【００２２】
［詳細な説明］
次に、同様の符号が同様の要素に対応している図面を参照して本発明の構造を説明する。
【００２３】
図１は、本発明の一実施形態による部分的に構築されたトラクションエレベータを示し、セルフクライミング式エレベータ機が穿孔レールを上り、ピットから上方にトラクション式エレベータの構築を行う。設置の開始時点では、凹溝モジュール１６は、昇降路の底面に設置されている。凹溝モジュールは、構造支持体、梁、および基礎床面上にエレベータシステム用のしっかりとした基盤（footing）を提供するのに必要な他の部材を備える。かごガイドレール７および７’は、１つまたは複数のかごガイドレールブラケット１０に固定される。最下部のかごガイドレールブラケット１０は、凹溝モジュール１６よりも数フィート上に位置し、次のかごガイドレールブラケットは、最初のブラケットよりも約１０フィート上に位置する。２つの釣り合い錘ガイドレール部２２および２２’は、凹溝モジュールに接続される。この実施形態では、釣り合い錘ガイドレール部２２および２２’ならびにかごガイドレール部７および７’はすべて長さが一様であり、約１６フィート長である。釣り合い錘ガイドレール２２および２２’は、釣り合い錘ガイドレールブラケット２５により接続される。釣り合い錘ガイドレールブラケット２５およびかごガイドレールブラケット１０は任意選択的に、１つまたは複数の箇所で建物に固定されて、追加の横方向の安定性を提供することができる。
【００２４】
図１において、かご吊り索（sling）８０は、２つの縦枠８４（一方しか見えない）および上下ボルスタ（bolsters：支え梁）８７（上ボルスタは仮設昇降台９１により隠れている）を備える。縦枠８４は、かごガイドレール７および７’に沿って摺動する。マシン取付け治具板ブラケット（machine mount tool plate bracket）９３（図１１にも示す）により下ボルスタ８７がモータ駆動部３０に取り付けられる。仮設昇降台９１は、上ボルスタに取り付けられ、よって、モータ駆動部３０がガイドレールを上り下りする際に昇降する。
【００２５】
本発明の一実施形態によれば、釣り合い錘ガイドレール２２は特別な構成を有し、その構成の一例が、図２および図３にさらに詳細に示されている。釣り合い錘ガイドレール２２は、ガイド部分３７、および直線状に配列された一連の穴４３が形成されている部分３９を有する。直線状に配列された穴が形成されている部分３９は、図２および図３に示すようにガイドレール２２に一体形成され得る。あるいは、図４〜図９に示すように、直線状に配列された複数の穴４３を有する別個のＣ字状レール５１を構成してから、釣り合い錘ガイドレール２２に固定してもよい。Ｃ字状レール５１内の矩形穴４３は、セルフクライミング式駆動ギヤ６１と係合するように構成されている。レール５１の小さい円形穴は、Ｃ字状レール５１（それ自体は、セルフクライミング式駆動ギヤと係合するようには構成されていない）を釣り合い錘ガイドレールに固定するためのボルト穴として用いられ得る。以下にさらに説明するように、釣り合い錘ガイドレール２２はまた、モータ駆動部上のパッドシステムと係合する絞り（restrictor）ガイドレールを有する。
【００２６】
上記の説明では、釣り合い錘ガイドレール２２は、セルフクライミング式駆動ギヤ６１との係合のために直線状に配列された穴４３を有するものとして説明されてきた。しかしながら、セルフクライミング式駆動ギヤ６１との係合のために、釣り合い錘ガイドレール２２の代わりに、穴をかごガイドレール７および７’の１つまたは複数にまたはエレベータシステム内にある任意の他のレールガイドに配置することも同様に本発明の範囲内にある。
【００２７】
「穴」は、モータ駆動部に接続されているギヤまたはスプロケットの歯と係合することができる長手方向レール内の、制限なくいかなる構造も包含することを理解されたい。穴は貫通して（open）いてもよく、または、凹部、窪み、へこみ、あるいは突起の形態であってもよい。ガイドレール部内の穴は、例えばガイドレール部または前駆体構造からの穿孔、スタンピング（stamping：打抜き）、またはドリル穿孔が挙げられるがこれらに限定されない当該技術分野において既知の手段により形成することができる。穴または凹部の形状は、ギヤ、スプロケット、ピニオン、またはセルフクライミング式駆動ギヤの他の機械要素の歯と係合する要件により決まる。「ギヤ」という用語は、限定されることなく、モータ駆動部に接続されるとともにレールの穴と係合する、スプロケット、はめ歯、またはフライホイール等の任意の構造として解釈されるものとする。
【００２８】
図１０に示すように、フレーム３５内に取り付けられたモータ３１を備えるモータ駆動部３０は、モータ３１の駆動部が釣り合い錘ガイドレール２２に隣接して位置するように、釣り合い錘ガイドレール２２に隣接するとともに、凹溝モジュールの上に設置される。セルフクライミング式駆動ギヤ６１は、モータ３１の駆動部に取付けられ、釣り合いガイドレール２２内の穴４３と係合するように位置合わせされる。
【００２９】
図１０および図１１に示すように、マシンフレーム３５は、モータ駆動部３０を釣り合い錘ガイドレール２２および２２’に沿って上下にガイドするのに用いることができるシュー４８を有する。釣り合い錘フレーム７０は、マシンフレームよりも上に設置され、また、釣り合い錘ガイドレール２２および２２’に沿って支持される（ride）。この設置段階（セルフクライミング方式とも呼ばれる）の際、釣り合い錘フレーム７０は、マシンの頂部に接続され、マシンが、釣り合い錘ガイドレールに沿って上下方向に移動する際に係止（ratcheting）しないようにする。
【００３０】
本発明のいくつかの特定の実施形態は、レールの穴と係合した状態にギヤを維持する手段を備え得る。図１２は、セルフクライミング式駆動ギヤ６１が穴４３から逆戻りしないようにするのに用いられる摺動絞りパッド構成（sliding restrictor pad configuration）の一実施形態を示す。２つの対向パッドを備えるガイドシューマシン取付けアセンブリ７７が、マシンに取り付けられ、絞りガイドレール７９に沿って摺動する。ガイドシューマシン取付けアセンブリパッドは、例えば、絞りガイドレール７９に沿って上下方向に摺動することができる超高分子量合成ポリマーから構成され得る。しかしながら、アセンブリ７７は、セルフクライミング式駆動ギヤ６１が釣り合い錘ガイドレール２２内の穴４３から逆戻りするのを横方向に制止する。
【００３１】
次に、特許請求されている本発明の動作を説明する。エレベータ支持構造の最下部の高さ位置のための構成部材を基礎床面に設置した後、モータ駆動部３０の電源をオンにする。セルフクライミング式駆動ギヤ６１の歯が、釣り合い錘ガイドレール２２の穴４３と係合し、マシンが釣り合い錘ガイドレール２２および２２’に沿って上昇し始める。上述したように、マシンフレーム３５のシュー４８が、釣り合い錘ガイドレール２２および２２’に沿ってモータ駆動部３０をガイドし、ガイドシューマシン取付けアセンブリ７７が、マシンをガイドレール２２の穴４３から外れないようにする。図１３に示すように、モータ駆動部３０が上昇すると、かごスリング８０および仮設昇降台９１も上昇する。
【００３２】
仮設昇降台９１が適切な高さまで上昇すると、かごガイドレール（７および７’）および釣り合い錘ガイドレール（２２および２２’）の次のセクションを設置することができる。下部セクションが完全に設置され、任意選択的にさらにレール架橋ブラケット１０および２５により安定すると、設置者は、エレベータの次に高いセクションを構築するのに必要とされる備品および部品を上昇させるのに、上昇した仮設昇降台から作業を行う。設置は、エレベータガイドレールおよび支持構造が所要高さに達するまで続き、所要高さに達した時点で、上部モジュールをエレベータ支持構造の頂部に取り付ける。エレベータシステムの設置を完了するために、マシン取付け治具板ブラケット９３を取り外し、モータ駆動部３０を昇降路の底面の元の位置に戻し、その位置にて、凹溝モジュール１６に固定するか、または別のモータ駆動部と交換することができる。モータ駆動部を交換しない場合、セルフクライミング式駆動ギヤ６１をモータ３１の駆動部から取り外し、モータ駆動部３０を、例えばモータの駆動部に少なくとも１つのトラクションシーブを設けることによって、エレベータ支持ロープと係合するように構成する。
【００３３】
本発明のエレベータ支持構造を備えるトラクションエレベータシステムは、エレベータかごアセンブリ、エレベータ釣り合い錘アセンブリ、およびエレベータシャフト内の支持ロープを設置することにより、また、これらの要素をモータ駆動部（このモータ駆動部は、設置中、セルフクライミングの際に用いられるモータ駆動部と同じであっても、なくともよい）に動作可能に結合することによって完成する。本発明による完成したエレベータシステムの一実施形態は、図１４および図１５に示す。
【００３４】
図１４および図１５に見られるように、支持構造の頂部に固定された上部モジュール４０は一般的に１つまたは複数の吊りシーブを備え、支持ロープ８９は、エレベータかごアセンブリ８１および釣り合い錘アセンブリ８７を支持するように吊りシーブ（複数可）に掛かる。ロープ８９は、エレベータかごアセンブリ８１および釣り合い錘アセンブリ８７を昇降路内で移動させるようにモータ駆動部３０により駆動される。
【００３５】
図１４および図１５において、エレベータかごアセンブリは、かごガイドレールに沿って摺動するように取り付けられ、かごガイドレール７および７’に摺動可能に結合されたガイドシューを有する前部分を有する。同様に、釣り合い錘アセンブリ８７は、釣り合い錘ガイドレール２２および２２’に沿って摺動するように取り付けられ、釣り合い錘ガイドレール２２および２２’に摺動可能に結合されたガイドシューを有する。エレベータかごアセンブリ８１は、かご吊り索タイプとすることができる。エレベータかごアセンブリ８１は、支持ロープ８９と係合するよう、エレベータかごアセンブリ８１の質量中心よりも上に位置するピックアップ点アセンブリ８５を備える。ピックアップ点アセンブリ８５は、支持ロープ８９と係合するシーブを備える。
【００３６】
モータ駆動部３０は、凹溝モジュール１６に固定されてもよく、または建物の基礎床面に直接固定されてもよい。モータ駆動部３０は、ロープ８９と摩擦係合する駆動シーブを備えることができるか、またはロープ８９を直接駆動することができる。いずれの場合も、モータ駆動部３０はロープ８９を移動させ、ロープ８９はエレベータかごすなわち吊り索アセンブリ８１および釣り合い錘アセンブリ８７を変位させる。前述したように、支持ロープ８９を駆動するのに用いられるモータ駆動部３０は、セルフクライミングの際に用いられるのと同じモータ駆動部であってもよく、または異なるモータ駆動部であってもよい。
【００３７】
本発明により構成されたエレベータシステムのロープ８９は、例えば、鋼等の金属、アラミド繊維ロープ等の合成材料が挙げられるがこれらに限定されない、当該技術分野において既知の任意の適した材料から形成されることができる。ロープは、摩擦を増大させるために覆われていてもよい（例えばナイロン被覆アラミド繊維ロープ）。さらに、ロープは、種々のタイプの吊り部材（例えばチェーンおよび平ベルト）を含む。
【００３８】
ガイドレール２２および７が垂直に向き、上部モジュール４０が凹溝モジュール１６の真上に位置するような高さ位置に、凹溝モジュール１６を設置することが重要である。基礎床面が平坦でなく、かつ／または同じ高さ位置でない場合、凹溝モジュール１６は、基礎床面よりもわずかに上の高さ位置に固定され、未硬化の硬化構造材料を基礎床面および凹溝モジュール１６間およびその周りに導入していかなる空隙または平坦でない領域も埋めることができる。次いで、未硬化構造材料を硬化させることで、さらなる固定具を使用してまたは使用せずに、凹溝モジュール１６に対し強度の平坦な基盤を提供する。凹溝モジュール１６はまた、任意選択的に、凹溝モジュール１６を受け入れて硬化構造材料と結合させる（interlocking）ための穴を有する。
【００３９】
図面では、かごガイドレール７および７’ならびに釣り合い錘ガイドレール２２および２２’は、三角形構成（triangular arrangement）で示されている。これに関して、本発明によるエレベータ支持構造およびエレベータシステムは、２００３年１月２８日付で出願されて係属中の米国出願第１０／３５３／１７３号（本明細書にその全体が参照により援用される）に開示されている三角形エレベータ支持構造およびエレベータシステムのいずれかを備えることができる。しかしながら、本発明のレールガイドは、いかなる特定の幾何学形状にも限定されず、よって、例えば、矩形のレール構成を有するエレベータ支持構造およびエレベータシステムも本発明の範囲にあることを理解されたい。
【００４０】
本明細書に記載されている寸法、例、および実施形態は、本発明の例示であり、本発明の範囲を限定するものではないことを理解されたい。当該明細書は例示にすぎないことが理解されよう。本発明の範囲内での本発明の多くの変更および変形は当業者には明らかである。したがって、本発明の範囲は、添付の特許請求の範囲およびそれらの等価物とともに定義される。
【図面の簡単な説明】
【００４１】
【図１】トラクションエレベータシステムを構築するための本発明の一実施形態によるモジュール式セルフクライミング式エレベータシステムを示す図である。
【図２】釣り合い錘ガイドレールおよびセルフクライミング式駆動ギヤの係合を示す、図１に示す実施形態のセルフクライミング式機構の拡大図である。
【図３】図２に示すセルフクライミング式機構の代替図を示す。
【図４】本発明の一実施形態による一体形Ｃ字状レールを示す図であり、当該レールは、セルフクライミング式駆動ギヤとの係合のための、および釣り合い錘ガイドレールへの取り付けのための穴を有する。
【図５】図４に示すＣ字状レールの部分的な拡大図である。
【図６】図４に示すＣ字状レールの部分的な斜視図である。
【図７】レールが一緒に固定される２つの別個の部材から形成される、図４〜図６に示したものとは異なる本発明の一実施形態によるＣ字状レールを示す。
【図８】レールが一緒に固定される２つの別個の部材から形成される、図４〜図６に示したものとは異なる本発明の一実施形態によるＣ字状レールを示す。
【図９】図７および図８に示したレールの斜視図である。
【図１０】本発明の一実施形態による、セルフクライミング方式用に組立てられたエレベータシステムのモータ駆動部およびセルフクライミング式機構を示す。
【図１１】図１０に示したモータ駆動部およびセルフクライミング式機構の後方図である。
【図１２】モジュール式縦ガイドレールの係合穴から駆動ギヤが外れないようにするのに絞りパッドアセンブリ（assemblage）が用いられている、セルフクライミング方式の際のセルフクライミング駆動機構の一実施形態の拡大図である。
【図１３】仮設昇降台およびエレベータシステムのモータ駆動部がセルフクライミングにより最初の組立て位置よりも上昇している、本発明の一実施形態を示す図である。
【図１４】モータ駆動部が凹溝モジュールに取付けられ、仮設昇降台が建物の基礎床面付近に位置するエレベータ吊り索で代替されている、セルフクライミング組立て方式の完了時点の、図１３のエレベータ支持構造を示す図である。
【図１５】エレベータ吊り索がより高い床面の高さ位置にある、図１４のエレベータ支持構造を示す図である。
【図１】
2006515555.tif 000003
【図２】
2006515555.tif 000004
【図３】
2006515555.tif 000005
【図４】
2006515555.tif 000006
【図５】
2006515555.tif 000007
【図６】
2006515555.tif 000008
【図７】
2006515555.tif 000009
【図８】
2006515555.tif 000010
【図９】
2006515555.tif 000011
【図１０】
2006515555.tif 000012
【図１１】
2006515555.tif 000013
【図１２】
2006515555.tif 000014
【図１３】
2006515555.tif 000015
【図１４】
2006515555.tif 000016
【図１５】
2006515555.tif 000017
【国際調査報告】
2006515555.tif 000018
2006515555.tif 000019